(57)【要約】【課題】  広い作業スペースを必要とせず、しかも無理な姿勢を強いられずに、簡単且つ確実にデッキの高さを調整することが可能なデッキの高さ調整機構を得る。【解決手段】  根太材２をに支持する支持脚３を、雄ネジ３１ａが周設された支持軸３１と、支持軸３１の下端部においてその軸廻りに回転自在に取付けられた基台３２と、雄ネジ３１ａを螺合させる雌ネジ穴３３ａを備え、根太材２に軸廻りの回転を規制されて取付けられる雌ネジ部材３３とで構成し、根太材２の底面及び上面に、支持軸３１を根太材２内部へと挿入するための底面開口２２と、工具４を根太材２内部へと挿入して支持軸３１の係合部３１ｂに係合させるための上面開口２１とをそれぞれ開設する。【選択図】        図３
2006342631.tif 000002
【特許請求の範囲】
【請求項１】
デッキ材を上面に架け渡す根太材と、該根太材を設置面から適宜の高さに調整可能に支持する支持脚とを備えたデッキの高さ調整機構において、
上記支持脚が、雄ネジが周設されていてほぼ鉛直に立設された支持軸と、該支持軸に対して、その軸方向への移動が規制されて該軸廻りに回転自在に取付けられ、上記設置面に載置される基台と、上記支持軸の雄ネジを螺合させる雌ネジ穴が貫設され、上記根太材に対して該支持軸廻りの回転が規制されて取付けられた雌ネジ部材とを有していて、
上記支持軸の上端面には、工具を係合させて該支持軸をその軸廻りに回動させるための係合部が形成され、
上記根太材の上面及び底面における、該根太材に取付けられた上記雌ネジ部材の雌ネジ穴の中心軸線上には、工具を根太材内部へと挿入して上記支持軸の係合部に係合させるための上面開口、及び上記支持軸をその上端側から根太材内部へと挿入するための底面開口とがそれぞれ開設されており、
上記根太材の上面開口から工具を挿入して、支持軸を上記基台及び雌ネジ部材に対して回動させることにより、根太材の高さを調整可能とした、
ことを特徴とするデッキの高さ調整機構。
【請求項２】
上記根太材が、中空で断面略矩形状に形成されていることを特徴とする請求項１に記載のデッキの高さ調整機構。
【請求項３】
上記下面開口が、根太材の底壁に穿設された孔によって形成されていることを特徴とする請求項２に記載のデッキ高さ調整機構。
【請求項４】
上記上面開口が、根太材の上壁に穿設された孔によって形成されていることを特徴とする請求項２又は請求項３に記載のデッキの高さ調整機構。
【請求項５】
上記雌ネジ部材が、略矩形のプレート部を有していて、該プレート部の略中央において上記雌ネジ穴が貫設されて成り、
上記根太材の底面には、その軸方向に沿って一対の略Ｌ字状の係合爪が内側に向けて対向配置されていて、互いに対向する断面略コ字状の係合溝が形成されており、
該雌ネジ部材が、そのプレート部の両端をこれら一対の係合溝にそれぞれ挿入されて、該根太材に取付けられている、
ことを特徴とする請求項１乃至請求項４のいずれかに記載のデッキ高さ調整機構。
【請求項６】
上記支持軸における基台と雌ネジ部材との間に、該支持軸の回動を規制してデッキを調整された高さに保持するためのナットが螺合されていることを特徴とする請求項１乃至請求項５に記載のデッキの高さ調整機構。
【発明の詳細な説明】
【技術分野】
【０００１】
本発明は、根太材の高さの調整することによりデッキの高さ調整する調整機構に関するものである。
【背景技術】
【０００２】
テラス上等に敷設されるデッキとしては、従来から、支持脚を備えた根太材上にデッキ材を架け渡したものが広く知られている。
ところで、このようなデッキをテラス上等に敷設するにあたっては、デッキ材の上面を水平にして安定的に設置されることが望ましい。ところが、実際には、デッキを設置するテラス等の表面は必ずしも水平ではなく凹凸も存在するため、デッキを単にテラス上等のに載置しただけでは、デッキ材の上面が設置面に沿って傾斜してしまったり、設置面の凹凸により一部の支持脚が設置面から浮き上がってガタが生じたりして、デッキの設置状態が不安定となる虞がある。
【０００３】
そこで、このような不具合を解消するため、上記支持脚を、雄ネジが周設された支持軸と、該支持軸の下端に固定されてテラス等の設置面に載置される基台と、上記支持軸の雄ネジに螺合されたナットとにより構成すると共に、上記根太材の底面に、上記支持軸を上端側から挿抜自在に挿入するための孔を開設して、上記根太材の底面を上記ナットで支持させる構造を採用することにより、該ナットを操作し上下方向に変位させることによって根太材の設置面に対する高さを調節することが試みられている。
【０００４】
しかしながら、このようなデッキの高さの調整機構では、根太材の底面とテラス等の設置面との間に形成された隙間を通じて側方から工具を差し込むことによって、上記ナットを回動させながら細かな調整作業をする必要性があるため、比較的余裕のある作業スペースが必要とされ、しかも調整作業中に無理な姿勢を強いられることとなる。
したがって、特に、デッキを設置する場所が狭い場合や、根太材の設置間隔または根太材に対する支持脚の取付け位置によっては、高さ調整作業が非常に行い難いという問題がある。
【発明の開示】
【発明が解決しようとする課題】
【０００５】
本発明はこのような問題点を解決するためのもので、その技術的課題は、デッキの設置環境等に関わらず、その高さを簡単且つ確実に調整することが可能なデッキの高さ調整機構を提供することにある。
【課題を解決するための手段】
【０００６】
上記課題を解決するため、本発明のデッキの高さ調整機構は、デッキ材を上面に架け渡す根太材と、該根太材を設置面から適宜の高さに調整可能に支持する支持脚とを備えたデッキの高さ調整機構において、上記支持脚が、雄ネジが周設されていてほぼ鉛直に立設された支持軸と、該支持軸に対して、その軸方向への移動が規制されて該軸廻りに回転自在に取付けられ、上記設置面に載置される基台と、上記支持軸の雄ネジを螺合させる雌ネジ穴が貫設され、上記根太材に対して該支持軸廻りの回転が規制されて取付けられた雌ネジ部材とを有していて、上記支持軸の上端面には、工具を係合させて該支持軸をその軸廻りに回動させるための係合部が形成され、上記根太材の上面及び底面における、該根太材に取付けられた上記雌ネジ部材の雌ネジ穴の中心軸線上には、工具を根太材内部へと挿入して上記支持軸の係合部に係合させるための上面開口、及び上記支持軸をその上端側から根太材内部へと挿入するための底面開口とがそれぞれ開設されており、上記根太材の上面開口から工具を挿入して、支持軸を上記基台及び雌ネジ部材に対して回動させることにより、根太材の高さを調整可能としたことを特徴とするものである。
【０００７】
本発明の高さ調整機構の好ましい実施形態においては、上記根太材が、中空で断面略矩形状に形成されている。この場合においては、上記下面開口が、根太材の底壁に穿設された孔によって形成されていても良く、上記上面開口が、根太材の上壁に穿設された孔によって形成されていても良い。
【０００８】
また、本発明においては、上記雌ネジ部材が、略矩形のプレート部を有していて、該プレート部の略中央において上記雌ネジ穴が貫設されて成り、上記根太材の底面には、その軸方向に沿って一対の略Ｌ字状の係合爪が内側に向けて対向配置されていて、互いに対向する断面略コ字状の係合溝が形成されており、該雌ネジ部材が、そのプレート部の両端をこれら一対の係合溝にそれぞれ挿入されて、該根太材に取付けられていても良い。
さらに、本発明においては、上記支持軸における基台と雌ネジ部材との間に、該支持軸の回動を規制してデッキを調整された高さに保持するためのナットが螺合されていることが望ましい。
【０００９】
上記構成を有するデッキの高さ調整機構によれば、根太材の上面に設けた上面開口から工具を挿入して支持軸の係合部に係合させ、該支持軸をその軸廻りに基台及び雌ネジ部材に対して回動させることにより、該雌ネジ部材を支持軸の軸方向に上下動させて、根太材の高さを上下に調整することができる。このように、上方から根太材内に工具を挿入することによって細かな高さ調整作業を行うことができるため、従来のような側方から工具を挿入する場合とは異なり、デッキの設置場所の広さや根太材の間隔、根太材に対する支持脚の取付け位置等に関わらず、狭い作業スペースであっても無理な作業姿勢を強いられること無く簡単且つ確実に高さ調整作業を行うことができる。
【発明の効果】
【００１０】
以上に詳述したように、本発明に係るデッキの高さ調整機構によれば、上方から工具を挿入することによって細かな高さ調整作業を行うことが可能であるため、デッキの設置環境等に関わらず、その高さを簡単且つ確実に調整することができる。
【発明を実施するための最良の形態】
【００１１】
図１〜図６は、本発明のデッキの高さ調整機構の一実施例を示すものであり、この実施例の高さ調整機構は、長尺に形成されていてデッキ材１を上面に架け渡すための複数の根太材２と、これら各根太材２をテラス等のデッキ設置面から適宜の高さに調整可能に支持するための金属製の複数の支持脚３とを有している。
この実施例においては、図１に示すように、上記各根太材２は相互に平行に並べられていて、１本の根太材２につき２個の支持脚３が取付けられている。そして、各支持脚３の根太材２を支持する高さをそれぞれ調整することにより、根太材２、延いてはデッキの高さや水平度を調整することができるようになっている。なお、上記デッキ材１は、発泡樹脂により長尺の板状に形成されていて、上記各根太材２の上面にそれらと互いに直交するように載置されネジ等の固定手段１ａで固定されている。
【００１２】
上記根太材２は、デッキの設置場所の広さに適合した長さを有する金属製、好ましくはアルミ製のもので、中空の断面略矩形状すなわち断面略口字状に形成されている。
この根太材２は、その上面側に、ネジ回し等の工具４をその中空内部２ａへと挿入するための上面開口２１を備えていると共に、その底面側に、後述する支持脚３の支持軸３１をその上端側から中空内部２ａへと挿入するための底面開口２２を備えている。これら上面開口２１及び底面開口２２は、根太材２の幅方向（短手方向）のほぼ中央において、鉛直な同一直線上に配置されるようにそれぞれ開設されていて、この実施例においては、中空の根太材２の両端近傍における上壁２ｂ及び底壁２ｃにそれぞれ略同径の孔を穿設し、これら各孔をそれぞれ上記上面開口２１及び底面開口２２としている。
換言すると、この実施例において、上記上面開口２１は、工具４を自在に挿抜し且つ回動させることができる径、すなわちネジ回し工具４の軸よりも若干大径に形成され、その一方で、上記底面開口２２は、上記支持脚３の支持軸３１を遊嵌させて自在に挿抜し且つ回動させることができる径、すなわち該支持軸３１よりも若干大径に形成されている。
【００１３】
上記根太材２の底面には、上記支持脚３の取付けに供する一対の係合爪２３，２３が、該根太材２の軸方向（長手方向）に沿って一体に形成されている。具体的には、これら一対の係合爪２３，２３は、根太材２の幅方向の両側端において、略Ｌ字状すなわち下方に突設された立壁の先端部分が内側方向に略直角に折れ曲がった形態に形成され、各係合爪２３，２３の先端が相互に対向するように配置されている。そうすることで、上記根太材２の底面には、該根太材２の底壁２ｃとこれら一対の係合爪２３，２３とによって、開口が相互に対向する断面略コ字形の一対の溝が形成されており、これら一対の溝が、後述する支持脚３の雌ネジ部材３３を根太材２に対して取付けるための係合溝２４，２４を形成している。
【００１４】
上記支持脚３は、雄ネジ３１ａが周設されてほぼ鉛直に立設された支持軸３１と、該支持軸３１に対して、その軸方向への移動が規制されて且つ該軸廻りに回転自在に取付けられた基台３２と、上記支持軸３１の雄ネジ３１ａを螺合させる雌ネジ穴３３ａが貫設され、上記根太材２に対して該支持軸３１廻りの回転が規制されて取付けられた雌ネジ部材３３とを有している。そして、上記基台３２をテラス等のデッキ設置面上に載置することにより、上記支持脚３を該デッキ設置面上に立設することができるようになっている。また、上記支持軸３１における基台３２と雌ネジ部材３３との間に位置する雄ネジ３１ａには、上記支持軸３１の回動を規制してデッキを調整された高さに保持するためのナット３４が螺合されている。
【００１５】
上記支持軸３１は、その軸方向に径が略均一の棒状に形成されていて、その上端部から下端部近傍に至るまで上記雄ネジ３１ａが周設されており、その上端面には、ネジ回し等の工具４を係合させて該支持軸３１をその軸廻りに回動させるための係合部３１ｂを有している。この実施例の場合、上記係合部３１ｂは、プラス形又はマイナス形の先端を有するネジ回し工具４の何れにも適合するように、平面視略十字状の溝によって形成されている。
また、該支持軸３１は、図５，図６に示すように、根太材２の調整高さに関わらず、その上端面が常に根太材の中空内部２ａに位置するような長さに形成されている。したがって、図５に示すように、根太材２の高さを最も低い位置に調整した場合でも、その上端面が根太材２の上面から突出しないため、デッキ材１を根太材２の上面に架け渡す際の妨げにならない。
【００１６】
上記基台３２は、上記支持軸３１の下端部に取付けられたもので、中央部が上方に隆起した逆椀形に形成されており、その隆起部分の頂部には、上記支持軸３１が遊嵌状態で挿通される取付孔３２ａが穿設されている。すなわち、この取付孔３２ａは、支持軸３１の外径よりも若干大径に形成されている。
【００１７】
また、上記支持軸３１には、上記基台３２を該支持軸３１上の所定の位置で回転自在に保持するための手段として、ストッパ部材３１ｃ及び抜止め部材３１ｄが設けられている。該ストッパ部材３１ｃは、上記基台３２の取付孔３２ａよりも大径に形成されていて、支持軸３１の下端部近傍において該基台３２の上方に固着されている。一方、上記抜止め部材３１ｄも、上記取付孔３２ａよりも大径に形成されていて、支持軸３１の下端部において該基台３２の隆起部分により形成された空間内に固着されている。そして、これらストッパ部材３１ｃの下面と抜止め部材３１ｄの上面との間には、基台３２の厚みよりも若干大きい隙間が形成されていて、この隙間に位置する軸部分が上記取付孔３２ａに挿通されている。
【００１８】
上記ストッパ部材３１ｃは、支持脚３を上記設置面上に載置した際に、その下面に基台３２の隆起部分の頂部を当接させることにより、該基台３２が支持軸３１の上方に移動するのを規制して、該基台３２の底面が常時設置面に当接した状態を保持すると共に、該支持軸３１の基台３２上における直立状態を保持している。一方、抜止め部材３１ｄは、基台３２が支持軸３１の下方に移動するのを規制して、該基台３２が支持軸３１から抜脱するのを阻止している。
ここで、図３に示すように、上記抜止め部材３１ｄは、基台３２の隆起部分によって形成された基台底面側の空間に無理なく収まる程度の形状と大きさを有していて、上記ストッパ部材３１ｃの下面から抜止め部材３１ｄの下面までの長さが、上記基台３２の底面から隆起部分の頂部までの高さよりも小さくなるように設定されており、支持脚３自体の設置の妨げとならないようになっている。
【００１９】
上記雌ネジ部材３３は、図３，図４に示すように、略矩形の板状に形成されたプレート部３３ｂと、該プレート部３３ｂの略中央から下方に向けて固定的に突設された突出部３３ｃとから構成されており、上記雌ネジ穴３３ａが、該雌ネジ部材３３の略中央において、これら突出部３３ｃ及びプレート部３３ｂを上下方向に貫通している。ここで、上記プレート部３３ｂと突出部３３ｃとは互いに固着されていても良いし、一体に形成されていても良い。
【００２０】
上記プレート部３３ｂは、上記一対の係合溝２４，２４の間隔や、溝幅に適応した幅や厚みを有している。そして、該プレート部３３ｂの両端部が上記根太材２の一対の係合溝２４，２４内にそれぞれ挿入されて、上記雌ネジ部材３３が根太材２に対して、その雌ネジ穴３３ａの中心軸線上に該根太材２の上面開口２１及び底面開口２２の中心が配置される位置に取付けられている。このとき、係合溝２４，２４を形成する略Ｌ字状の係合爪２３，２３によって、プレート部３３ｂの支持軸３１廻りの回転が規制されるため、結果として、雌ネジ部材３３全体の該支持軸３１廻りの回転が規制されるようになっている。
なお、この実施例においては、雌ネジ部材３３の雌ネジ穴３３ａに螺合された支持軸３１が根太材２の底面開口２２から中空内部２ａへと挿通されていて、それにより支持脚３自体が根太材２に対して位置決めされているため、上記雌ネジ部材３３を根太材２に対して直接固定していない。そうすることにより、デッキの製造工程を省くことができ、製造コストを抑制することができる。
【００２１】
上記ナット３４は、支持軸３１を軸廻りに回転させた際に該支持軸３１と共に回転するもので、それを雌ネジ部材３３の突出部３３ｃの下面に当接させた状態で、支持軸３１を根太材２の支持高さを下げる方向に回動させようとすると、上記突出部３３ｃの下面に圧接され、これにより支持軸３１の回動を規制する働きを有する。
すなわち、根太材２の高さ調整作業中においては、該ナット３４を上記雌ネジ部材３３から下方に離間させておき、高さ調整後に、該ナット３４を手や工具で支持軸３１に対して上方へ回転移動させ上記突出部３３ｃの下面に当接させることにより、支持軸３１の回動が規制されて、根太材２を調整した高さに保持することができるようになっている。
【００２２】
上記支持脚３の根太材２への取付けにあたっては、まず、雌ネジ部材３３におけるプレート部３３ｂの両端部を根太材２の一端から係合溝２４，２４に挿入して、該雌ネジ部材３３を、根太材２の軸方向に沿ってスライドさせ、雌ねじ穴３３ａの中心軸線と上面開口２１及び底面開口２２の中心とが一致する位置に配置する。そして、上記支持軸３１を、その上端側から雌ネジ穴３３ａに螺合させると共に、底面開口２２を通じて根太材２の中空内部２ａへと挿通させることにより、支持脚３を根太材２に対して容易に取り付けることができる。
【００２３】
上記構成を有する調整機構によりデッキの高さを調整するにあたっては、図２に示すように、根太材２の上面に開設された上面開口２１から工具４を挿入して、その工具４の先端を支持軸３１の上端面に形成された係合部３１ｂに係合させる。そして、該工具４を回して上記支持軸３１をその軸廻りに基台３２及び雌ネジ部材３３に対して回動させ、根太材２の底面を支持する雌ネジ部材３３を該支持軸３１に対して上下に変位させることにより、支持脚３が配設された位置における根太材２の高さを上下に調整する（図５，図６参照）。このようにして、デッキ設置面の傾斜や凹凸等に合わせて、所望の高さにおいてデッキ材１の上面が水平となるように、各根太材２が各支持脚３によって支持される高さをそれぞれ調整する。そして最後に、各支持脚３において、雌ねじ部材３３の突出部３３ｃにナット３４を当接させることにより、各根太材２が調整された支持高さに保持される。
このように、根太材２の高さを調整する細かな作業を、根太材２の上面から工具４を挿入することにより行うことができるため、デッキの設置場所の広さ等の設置環境や、根太材２の間隔または根太材２に対する支持脚３の取付け位置等に関わらず、デッキの高さ調整作業を、狭い作業スペースであっても無理な姿勢を強いられること無く簡単且つ確実に行うことができる。
【００２４】
なお、上記実施例では、根太材２として中空のものを用いているが、それに特に限定されるものではなく、例えば中実のものを用いても良い。また、その断面形状についても上記実施例のような略矩形に特に限定されるものではない。
また、上記実施例では、上面開口２１と底面開口２２とを略同径の孔としているが、相互に異なる径であっても良く、必ずしも孔である必要性も無い。例えば、これら開口２１，２２の一方を根太材２の軸方向に沿って開設されたスリット状としても良い。
また、上記実施例では、雌ネジ部材３３を根太材２に対して直接固定していないが、上記係合溝２４，２４の有無に関わらず、上記雌ネジ部材３３を、そのプレート部３３ｂにおいて、根太材２の底壁２ｃに対して直接ネジ等の固定手段や溶接等の固着手段により固定しても良いのは勿論である。
【図面の簡単な説明】
【００２５】
【図１】本発明に係るデッキの高さ調整機構を備えたデッキを示す斜視図である。ただし、デッキ材の一部を省略してある。
【図２】本発明に係るデッキの高さ調整機構を示す部分破断斜視図である。
【図３】本発明に係るデッキの高さ調整機構を示す側断面図である
【図４】支持脚の根太材への取付け状態を示す部分破断斜視図である。
【図５】根太材の高さを最低位置に調整した状態を示す側面図である。
【図６】根太材の高さをほぼ最高位置に調整した状態を示す側面図である。
【符号の説明】
【００２６】
１  デッキ材
２  根太材
２ａ  中空内部（根太材内部）
２ｂ  上壁
２ｃ  底壁
３  支持脚
４  工具
２１  上面開口
２２  底面開口
２３  係合爪
２４  係合溝
３１  支持軸
３１ａ  雄ネジ
３１ｂ  係合部
３２  基台
３３  雌ネジ部材
３３ａ  雌ネジ穴
３３ｂ  プレート部
３４  ナット
【図１】
2006342631.tif 000003
【図２】
2006342631.tif 000004
【図３】
2006342631.tif 000005
【図４】
2006342631.tif 000006
【図５】
2006342631.tif 000007
【図６】
2006342631.tif 000008